(57)【要約】【課題】  固体撮像素子のカバーガラス表面や光学フィルタ表面に付着した異物を簡単な操作で除去したい。【解決手段】  光学部材の表面に付着した異物を除去するアクセサリ装置であって、支持部５１と、支持部５１に一体的に設けられた略Ｖ字型の可撓部５２と、可撓部５２に取り付けられた弾性部５３と、弾性部５３に懸架された粘着部５４と、カメラのマウント機構に取り付けられる取り付け部５６とを有し、カメラのマウント機構に取り付けられた状態で支持部５５を押して粘着部５４を押し込むことにより、カメラ内のフィルタ面などに付着した異物を除去する。【選択図】  図１２
2005292404.tif 000002
【特許請求の範囲】
【請求項１】
光学機器に取り付けられ、当該光学機器が有する光学部材の表面及び／或はその近傍に付着した異物を除去するアクセサリ装置であって、
ユーザにより支持・操作される操作部と、
前記操作部と一体的に形成され略Ｖ字型を有する可撓部と、
前記可撓部に懸架された弾性部と、
前記弾性部の少なくとも先端部側に設けられた粘着部と、
前記光学機器のマウント機構と係合して当該アクセサリ装置を前記光学機器に取り付けるための取り付け機構とを有し、
前記取り付け機構により当該アクセサリ装置を前記光学機器に取り付けた状態で前記操作部が操作されることにより前記粘着部が前記光学機器内に進入して異物を除去することを特徴とするアクセサリ装置。
【請求項２】
光学機器に取り付けられ、当該光学機器が有する光学部材の表面及び／或はその近傍に付着した異物を除去するアクセサリ装置であって、
軸部の端部に設けられユーザにより操作される操作部と、
前記操作部と反対側の前記軸部の端部に設けられ略Ｖ字型を有する可撓部と、
前記可撓部に懸架された弾性部と、
前記弾性部の少なくとも先端部側に設けられた粘着部と、
前記光学機器のマウント機構と係合して当該アクセサリ装置を前記光学機器に取り付けるための取り付け機構とを有し、
前記取り付け機構により当該アクセサリ装置を前記光学機器に取り付けた状態で前記操作部が操作されることにより前記粘着部が前記光学機器内に進入して異物を除去することを特徴とするアクセサリ装置。
【請求項３】
光学機器に取り付けられ、当該光学機器が有する光学部材の表面及び／或はその近傍に付着した異物を除去するアクセサリ装置であって、
ユーザにより支持・操作される操作部と、
粘着面を具備する粘着部と、
可撓性を有し、前記操作部に対して前記粘着面を略直交するように展開して保持する可撓部と、
前記光学機器のマウント機構と係合して当該アクセサリ装置を前記光学機器に取り付けるための取り付け機構とを有し、
前記取り付け機構により当該アクセサリ装置を前記光学機器に取り付けた状態で前記操作部が操作されることにより前記粘着部が前記光学機器内に進入して異物を除去することを特徴とするアクセサリ装置。
【請求項４】
光学機器に取り付けられ、当該光学機器が有する光学部材の表面及び／或はその近傍に付着した異物を除去するアクセサリ装置であって、
軸部の端部に設けられユーザにより操作される操作部と、
粘着面を具備する粘着部と、
可撓制を有し、前記軸部と前記粘着面が略直交するように接続して保持する可撓部と、
前記光学機器のマウント機構と係合して当該アクセサリ装置を前記光学機器に取り付けるための取り付け機構とを有し、
前記取り付け機構により当該アクセサリ装置を前記光学機器に取り付けた状態で前記操作部が操作されることにより前記粘着部が前記光学機器内に進入して異物を除去することを特徴とするアクセサリ装置。
【請求項５】
前記取り付け機構と前記軸部との相対回転位置を規定する嵌合部材とを更に有することを特徴とする請求項１乃至４のいずれか１項に記載のアクセサリ装置。
【請求項６】
前記取り付け機構は、前記アクセサリ装置と前記光学機器とを相対的に所定量回動させて取り付けるもので、前記取り付け機構により取り付けた後、前記粘着部が光学部材の表面及び／或はその近傍を含む清掃対称面に対して正対するように前記嵌合部材により前記相対回転位置が規定されていることを特徴とする請求項１乃至５のいずれか１項に記載のアクセサリ装置。
【請求項７】
前記操作部と前記軸部との間に弾性部材が設けられていることを特徴とする請求項１又は２に記載のアクセサリ装置。
【請求項８】
前記粘着部の略全域が前記光学部材の表面に当接した状態で、前記操作部と前記取り付け機構との間に隙間が設けられていることを特徴とする請求項１乃至７のいずれか１項に記載のアクセサリ装置。
【請求項９】
前記取り付け機構は前記光学機器との通信手段を備え、前記通信手段を介して前記光学機器を異物を除去するモードに設定するためのスイッチを更に有することを特徴とする請求項１乃至８のいずれか１項に記載のアクセサリ装置。
【請求項１０】
前記取り付け機構の少なくとも一部が透明である事を特徴とする請求項１乃至９のいずれか１項に記載のアクセサリ装置。
【発明の詳細な説明】
【技術分野】
【０００１】
本発明は、例えばデジタルカメラ等の光学機器のアクセサリ装置に関し、特に光学機器に組み込まれている光学部材の表面或はその近傍に付着した異物を除去するためのアクセサリ装置に関するものである。
【背景技術】
【０００２】
カメラの撮影レンズの焦点面近傍に塵埃等の異物が存在すると、その異物の影が固体撮像素子に写り込んでしまうという問題がある。このような異物は、レンズ交換時に塵埃が外部から侵入したり、カメラ内部でのシャッタやミラーの動作に伴い、その構造部材である樹脂等の微細な磨耗紛が発生することが原因と考えられている。このような原因で発生した塵埃が、特に固体撮像素子の保護用のカバーガラスとカバーガラスの全面に配設されている赤外カットフィルタや光学ローパスフィルタ（以下、ＬＰＦと略す）等の光学フィルタの間に入り込んでしまった場合には、その塵埃を除去するためにカメラを分解しなければならなかった。このため、固体撮像素子のカバーガラスと光学フィルタとの間に塵埃が入り込まないように密閉構造にすることは極めて有効なものであった。
【０００３】
しかしながら、光学フィルタの固体撮像素子に対向側と反対の表面に塵埃が付着した場合、それが焦点面の近傍である場合にはその塵埃が影となって固体撮像素子に写り込んでしまうという問題が依然として残っている。
【０００４】
そこで、このような問題点を解決するために、固体撮像素子のカバーガラスの表面もしくは防塵構造の最外面をワイパーで清掃するものがある（特許文献１参照）。このようなカメラ構成にすると、レンズを外さず、またカメラを分解することなく固体撮像素子のカバーガラス表面又は防塵構造の最外面（例えば光学フィルタ表面）に付着した塵埃を除去することができる。
【特許文献１】特開２００３-０１８４４０号公報
【特許文献２】実開平０６-０６３１８３号公報
【発明の開示】
【発明が解決しようとする課題】
【０００５】
しかしながら特許文献１の構成では、固体撮像素子のカバーガラスの表面や防塵構造の最外面をワイパーで擦るため、金属紛のような硬い塵埃の場合には、固体撮像素子のカバーガラスの表面や防塵構造の最外面にキズを付ける可能性がある。またワイパーを配設するための機構が必要となり、カメラが大型化するという問題がある。
【０００６】
そこで、粘着性を有する清掃棒により、付着している塵埃を清掃対象物から除去するものがある（特許文献２）。これは棒状部材の一端部にクッション材を介して粘着材を配設しクッション性と粘着性を併せ持った清掃部を備えた粘着性清掃棒により、固体撮像素子のカバーガラスの表面や光学フィルタの表面に付着した塵埃を取り除くものである。しかしながら、このような粘着性清掃棒を用いて清掃する場合、固体撮像素子のカバーガラスの表面や光学フィルタの表面に付着した塵埃が少なければ比較的簡単に取り除くことができるが、多くの塵埃が付着した場合には、複数回の除去作業が必要になる。
【０００７】
また、このような構成では、粘着性の清掃棒をカメラ内の清掃対象部以外に接触させてカメラ内部を汚染させたり、或は精密な機構部分に誤って挿入してしまい、専門家による修理が必要となるなどの虞がある。
【０００８】
本発明は上記問題点に鑑みてなされたもので、本願発明の特徴は、光学機器の清掃対象面以外に接触する危険性をなくしたアクセサリ装置を提供することにある。
【課題を解決するための手段】
【０００９】
本発明に係る光学機器のアクセサリ装置は以下のような構成を備える。即ち、
光学機器に取り付けられ、当該光学機器が有する光学部材の表面及び／或はその近傍に付着した異物を除去するアクセサリ装置であって、
ユーザにより支持・操作される操作部と、
前記操作部と一体的に形成され略Ｖ字型を有する可撓部と、
前記可撓部に懸架された弾性部と、
前記弾性部の少なくとも先端部側に設けられた粘着部と、
前記光学機器のマウント機構と係合して当該アクセサリ装置を前記光学機器に取り付けるための取り付け機構とを有し、
前記取り付け機構により当該アクセサリ装置を前記光学機器に取り付けた状態で前記操作部が操作されることにより前記粘着部が前記光学機器内に進入して異物を除去することを特徴とする。
【００１０】
また本発明に係る光学機器のアクセサリ装置は以下のような構成を備える。即ち、
光学機器に取り付けられ、当該光学機器が有する光学部材の表面及び／或はその近傍に付着した異物を除去するアクセサリ装置であって、
軸部の端部に設けられユーザにより操作される操作部と、
前記操作部と反対側の前記軸部の端部に設けられ略Ｖ字型を有する可撓部と、
前記可撓部に懸架された弾性部と、
前記弾性部の少なくとも先端部側に設けられた粘着部と、
前記光学機器のマウント機構と係合して当該アクセサリ装置を前記光学機器に取り付けるための取り付け機構とを有し、
前記取り付け機構により当該アクセサリ装置を前記光学機器に取り付けた状態で前記操作部が操作されることにより前記粘着部が前記光学機器内に進入して異物を除去することを特徴とする。
【００１１】
また本発明に係る光学機器のアクセサリ装置は以下のような構成を備える。即ち、
光学機器に取り付けられ、当該光学機器が有する光学部材の表面及び／或はその近傍に付着した異物を除去するアクセサリ装置であって、
ユーザにより支持・操作される操作部と、粘着面を具備する粘着部と、可撓性を有し、前記操作部に対して前記粘着面を略直交するように展開して保持する可撓部と、前記光学機器のマウント機構と係合して当該アクセサリ装置を前記光学機器に取り付けるための取り付け機構とを有し、前記取り付け機構により当該アクセサリ装置を前記光学機器に取り付けた状態で前記操作部が操作されることにより前記粘着部が前記光学機器内に進入して異物を除去することを特徴とする。
【００１２】
また本発明に係る光学機器のアクセサリ装置は以下のような構成を備える。即ち、
光学機器に取り付けられ、当該光学機器が有する光学部材の表面及び／或はその近傍に付着した異物を除去するアクセサリ装置であって、
軸部の端部に設けられユーザにより操作される操作部と、粘着面を具備する粘着部と、可撓制を有し、前記軸部と前記粘着面が略直交するように接続して保持する可撓部と、前記光学機器のマウント機構と係合して当該アクセサリ装置を前記光学機器に取り付けるための取り付け機構とを有し、前記取り付け機構により当該アクセサリ装置を前記光学機器に取り付けた状態で前記操作部が操作されることにより前記粘着部が前記光学機器内に進入して異物を除去することを特徴とする。
【発明の効果】
【００１３】
本発明によれば、付着した異物を除去する際に光学機器の清掃対象面以外に接触する危険性がなく、かつ簡単に異物を除去することができるいという効果がある。
【発明を実施するための最良の形態】
【００１４】
以下、添付図面を参照して本発明の好適な実施の形態を詳しく説明する。
【００１５】
図１は、本発明の参考例であるアクセサリ装置１０の構成を示す概観斜視図である。
【００１６】
図において、アクセサリ装置１０は、塵埃を除去する際にアクセサリ装置１０をユーザが支持する支持部１１、支持部１１と一体的に設けられ、略Ｖ型で可撓性を備えている可撓部１２、この可撓部１２に一体的に懸架されており、略コの字型をしている弾性部１３及び弾性部１３の先端に設けられた粘着部１４とを備えている。
【００１７】
尚、粘着部１４が設けられている弾性部１３の先端部側は、外側にやや膨らんだ略円弧形状を形成している。これによりカメラ内の固体撮像素子のカバーガラスや光学フィルタ等のように、その表面形状が略平面の光学部材に粘着部１４が当接する場合は、後述するように、その粘着部１４が押し付けられるのに応じて光学部材の中央からその周辺部に向かって徐々に粘着部１４が当接することとなる。また、この粘着部１４は、粘着テープ（例えば住友３Ｍ製両面粘着テープ「９３１３」）や、もしくは弾性部１３の表面にアクリル系等の粘着剤を直接塗布したものでも良い。
【００１８】
また本発明のアクセサリ装置１０は、図１に示すような構成のもに限らず、例えば支持部１１の先端、或は支持部１１と一体に可撓性を有する柔軟部材で構成されたゴム状の部材を設け、このゴム状の部材により粘着部１４である粘着シート（粘着テープ）を広げた（展開させた）状態で保持させたものでも良い。これにより図１の構成と同様に、粘着シートによりゴミなどの異物を除去でき、またゴム状の部材が緩衝材として機能しているため、光学機器の内部を傷付けないようにしてゴミを除去できる。
【００１９】
図２は、本参考例に係るアクセサリ装置１０を用いて、固体撮像素子のカバーガラスの表面もしくは光学フィルタの表面等に付着した塵埃を除去する対象機器である光学機器の一例であるデジタルカラーカメラ（以下、単にカメラと呼ぶ）１００の構成を説明するための側方視断面図である。
【００２０】
このカメラ１００は、ＣＣＤ或はＣＭＯＳセンサなどの固体撮像素子を用いた単板式のカメラ（一眼レフカメラ）であり、固体撮像素子を連続的又は単発的に駆動して、動画像或は静止画像を表わす画像信号を得る。ここで固体撮像素子は、露光した光を画素毎に電気信号に変換し、その光量に応じた電荷をそれぞれ蓄積し、その電荷を読み出すタイプのエリアセンサである。
【００２１】
図２において、１００はカメラ本体、１０１はマウント機構であり、不図示の撮影レンズ（内部に絞りと結像光学系を有して取り外し可能）は、このマウント機構１０１を介してカメラ１００本体に電気的及び機械的に接続される。このようなデジタル一眼レフカメラでは、撮影に使用する撮影レンズを焦点距離の異なるレンズに交換することにより、様々な画角の撮影画面を得ることができる。固体撮像素子１０６は、パッケージ１２４に収納されており、このパッケージ１２４はカバーガラス１２５にて固体撮像素子１０６を密閉状態で保持している。そして、不図示の撮影レンズ内の結像光学系から固体撮像素子１０６に至る光路中には、固体撮像素子１０６上に物体像の必要以上に高い空間周波数成分が伝達されないように結像光学系のカットオフ周波数を制限する光学ローパスフィルタ１５６（以下、ＬＰＦ１５６と略す）が設けられている。また、この結像光学系には赤外線カットフィルタも形成されている。更に、カバーガラス１２５とＬＰＦ１５６との間は両面テープ等の密封部材１５７にて密封構造となっているので、カメラ１００の外部もしくはカメラ１００内部で発生した塵埃が、これらＬＰＦ１５６とカバーガラス１２５との間に入り込まないようになっている。
【００２２】
固体撮像素子１０６で捉えられた物体像は、ディスプレイ１０７に表示される。このディスプレイ１０７は、このカメラ１００の背面に取り付けられており、撮影時等において、使用者は、その撮影対象の画像をこのディスプレイ１０７により直接観察できる。このディスプレイ１０７は、有機ＥＬ空間変調素子や液晶空間変調素子、微粒子の電気泳動を利用した空間変調素子などで構成すると消費電力が小さく、かつ薄型で都合が良い。また固体撮像素子１０６は、増幅型固体撮像素子の一つであるＣＭＯＳプロセスコンパチブルのセンサ（以下、ＣＭＯＳセンサと略す）である。このＣＭＯＳセンサの特徴の一つに、エリアセンサ部のＭＯＳトランジスタと撮像素子の駆動回路、Ａ／Ｄ変換回路、画像処理回路といった周辺回路（図３参照）を同一工程で形成できることが挙げられる。この特徴により、マスク枚数、プロセス工程がＣＣＤと比較して大幅に削減できる。また、任意の画素へのランダムアクセスが可能といった特長も有し、ディスプレイ用に画素を間引いた読み出しが容易で、高い表示レートでリアルタイム表示が行える。固体撮像素子１０６は、このような特徴を利用し、ディスプレイ１０７の画像出力動作、高精彩画像出力動作を行う。
【００２３】
ハーフミラー１１１は、光学ファインダに不図示の結像光学系からの光路を分割する可動型のミラーである。フォーカシングスクリーン１０５は、物体像の予定結像面に配置されている。１１２はペンタプリズムである。レンズ１０９は、撮影時、ユーザが光学ファインダ像を観察するためのレンズであり、実際には３つのレンズで構成されている。フォーカシングスクリーン１０５、ペンタプリズム１１２、レンズ１０９はファインダ光学系を構成している。ここでハーフミラー１１１の屈折率はおよそ１．５、厚さは０．５mmである。このハーフミラー１１１の背後には可動型のサブミラー１２２が設けられており、ハーフミラー１１１を透過した光束の内、光軸に近い光束を焦点検出部１２１に偏向している。サブミラー１２２は、ハーフミラー１１１の保持部材（不図示）に設けられた回転軸を中心に回転し、ハーフミラー１１１の動きに連動して移動する。尚、この焦点検出部１２１は位相差検出方式の焦点検出を行う。
【００２４】
ハーフミラー１１１とサブミラー１２２からなる光路分割系は、上述のファインダ光学系に光を導くための第１の光路分割状態、不図示の結像レンズからの光束をダイレクトに固体撮像素子１０６に導くために撮影光路から退避した第２の光路分割状態（図２の破線で示した位置：１１１ａ及び１２２ａ）を取ることができる。
【００２５】
１０４は可動式の閃光発光部（ストロボ）、１１３はフォーカルプレンシャッタ、１１９はメインスイッチ、１２０はレリーズボタンである。モード切替えスイッチ１２３は、カメラ１００のＬＰＦ１５６の表面等に付着した塵埃をアクセサリ装置１０を使用して除去するために、カメラ１００をクリーニングモードに設定するためのスイッチである。１８０は、光学ファインダ内の表示部である。
【００２６】
尚、モード切り換えスイッチ１２３が操作されてクリーニングモードが設定されると、ハーフミラー１１１とサブミラー１２２が第２の光路分割状態である位置１１１ａ及び１２２ａに移動するとともに、フォーカルプレンシャッタ１１３が開放状態となる。この状態をクリーニングモードと呼ぶ。これによりユーザは、マウント機構１０１の開口を通して、直接ＬＰＦ１５６の表面を目視できる状態となる。従って、この状態で、アクセサリ装置１０を使用してＬＰＦ１５６の表面に付着した塵埃を除去できるようになる。
【００２７】
図３は、本実施の形態に係るカメラ１００の電気的構成を示すブロック図である。
【００２８】
まず物体像の撮像、記録に関する部分から説明する。このカメラ１００の機能（機構）としては、撮像機構、画像処理機構、記録再生機構、及び全体の動作制御機構を有する。撮像機構は、不図示の撮影レンズの結像光学レンズ、固体撮像素子１０６等を含み、画像処理機構は、Ａ／Ｄ変換器１３０、ＲＧＢ画像処理回路１３１及びＹＣ処理回路１３２を含む。また記録再生機構は、記録処理回路１３３及び再生処理回路１３４を含む。更に制御機構は、カメラシステム制御回路１３５、操作検出回路１３６及び撮像素子駆動回路１３７を含む。接続端子１３８は、外部のコンピュータ等に接続して、データの送受信をするための規格化された端子である。これらの電気回路は不図示の小型燃料電池によって駆動される。
【００２９】
撮像機構は、物体からの光を結像光学系を介して固体撮像素子１０６の撮像面に結像する光学処理機構を含み、不図示の撮影レンズの絞りと、必要に応じて更にメカニカルシャッタ１１３を調節し、適切な光量の物体光を固体撮像素子１０６に露光する。固体撮像素子１０６は、正方画素が長辺方向に３７００個、短辺方向に２８００個並べられ、合計約１０００万個の画素数を有する撮像素子が適用され、各画素にＲ（赤色）、Ｇ（緑色）、Ｂ（青色）のカラーフィルタを交互に配して４画素が一組となる、所謂ベイヤー配列を形成している。このベイヤー配列では、観察者が画像を見たときに強く感じやすいＧの画素をＲやＢの画素よりも多く配置することで、総合的な画像性能を上げている。一般に、この方式の固体撮像素子１０６を用いる画像処理回路では、輝度信号は主にＧから生成し、色信号はＲ，Ｇ，Ｂから生成している。
【００３０】
固体撮像素子１０６から読み出された画像信号は、Ａ／Ｄ変換器１３０によりデジタル画像信号に変換された後、画像処理回路に供給される。Ａ／Ｄ変換器１３０は、露光した各画素からの画像信号の振幅に応じた、例えば１０ビットのデジタル信号に変換して出力する信号変換回路であり、これ以降の画像信号処理はデジタル処理にて実行される。この画像処理回路は、Ｒ，Ｇ，Ｂのデジタル信号から所望の形式の画像信号を得る信号処理回路であり、Ｒ，Ｇ，Ｂの色信号を、輝度信号Ｙ及び色差信号（Ｒ−Ｙ），（Ｂ−Ｙ）で表わされるＹＣ信号などに変換する。この画像処理回路の構成を以下に説明する。ＲＧＢ画像処理回路１３１は、Ａ／Ｄ変換器１３０を介して固体撮像素子１０６から入力した３７００×２８００画素の画像信号を処理する信号処理回路であり、ホワイトバランス回路、ガンマ補正回路、補間演算による高解像度化を行う補間演算回路を有する。ＹＣ処理回路１３２は、輝度信号Ｙ及び色差信号Ｒ−Ｙ，Ｂ−Ｙを生成する信号処理回路である。また、このＹＣ処理回路１３２は、高域輝度信号ＹＨを生成する高域輝度信号発生回路、低域輝度信号ＹＬを生成する低域輝度信号発生回路、及び、色差信号Ｒ−Ｙ，Ｂ−Ｙを生成する色差信号発生回路で構成されている。また輝度信号Ｙは高域輝度信号ＹＨと低域輝度信号ＹＬを合成することによって形成される。
【００３１】
記録再生機構は、メモリへの画像信号の記憶と、ディスプレイ１０７への画像信号の出力とを行う処理回路を含み、記録処理回路１３３はメモリへの画像信号の書き込み処理及び読み出し処理を実行し、再生処理回路１３４は、そのメモリから読み出した画像信号を再生してディスプレイ１０７に表示する。
【００３２】
また記録処理回路１３３は、静止画像及び動画像を表わすＹＣ信号を所定の圧縮形式にて圧縮し、また圧縮データを読み出した際に伸張する圧縮伸張回路を内部に有している。この圧縮伸張回路は、信号処理のためのフレームメモリ等を含み、このフレームメモリに画像処理回路からのＹＣ信号をフレーム毎に蓄積して、それぞれ複数のブロック毎に読み出して圧縮符号化する。この圧縮符号化は、例えば、ブロック毎の画像信号を２次元直交変換、正規化及びハフマン符号化することにより行なわれる。また再生処理回路１３４は、輝度信号Ｙ及び色差信号Ｒ−Ｙ，Ｂ−Ｙをマトリックス変換して、例えばＲＧＢ信号に変換する回路である。この再生処理回路１３４によって変換された信号は、ディスプレイ１０７に表示されて可視画像として表示再生される。この再生処理回路１３４とディスプレイ１０７の間は、例えばブルーツース（Bluetooth）などの無線通信手段を介して接続されてもよい。このように構成することにより、このカメラ１００で撮像する画像を離れたところからでもモニタすることができる。
【００３３】
一方、制御機構は、レリーズボタン１２０やモード切り換えスイッチ１２３等の操作を検出する操作検出回路１３６と、その操作検出信号に応動してハーフミラー１１１やサブミラー１２２を含む各部を制御し、撮像の際のタイミング信号などを生成して出力するカメラシステム制御回路１３５と、このカメラシステム制御回路１３５の制御の下に固体撮像素子１０６を駆動する駆動信号を生成する固体撮像素子駆動回路１３７と、光学ファインダ内の表示部１８０（図２）を制御する情報表示回路１４２とを含む。この制御機構は、外部操作に応動して撮像機構、画像処理機構、記録再生機構をそれぞれ駆動制御する。例えば、レリーズボタン１２０の押下を検出して、固体撮像素子１０６の駆動、ＲＧＢ画像処理回路１３１の動作、記録処理回路１３３の圧縮処理などを制御し、更に情報表示回路１４２によって光学ファインダ内に情報を表示する表示部１８０の各セグメントの状態を制御する。
【００３４】
次に、このカメラ１００における焦点調節に関する部分について説明する。
【００３５】
カメラシステム制御回路１３５には更に、ＡＦ制御回路１４０とレンズシステム制御回路１４１が接続されている。これらはカメラシステム制御回路１３５を中心にして、各々の処理に必要とするデータを相互に通信している。ＡＦ制御回路１４０は、撮影画面上の所定の位置に設定された焦点検出視野での焦点検出用センサ１６７の信号出力を得て、この信号出力に基づいて焦点検出信号を生成し、不図示の撮影レンズの結像光学系の結像状態を検出する。ここでデフォーカスが検出されると、これを結像光学系の一部の要素であるフォーカシングレンズの駆動量に変換し、カメラシステム制御回路１３５を中継してレンズシステム制御回路１４１に送信する。また、移動する物体に対しては、レリーズボタン１２０が押下されてから実際の撮像制御が開始されるまでのタイムラグを勘案し、適切なレンズ位置を予測した結果によるフォーカシングレンズ駆動量を指示する。また、物体の輝度が低く、十分な焦点検出精度が得られないと判定されるときには、閃光発光装置１０４、或は不図示の白色ＬＥＤや蛍光管によって物体を照明する。レンズシステム制御回路１４１は、フォーカシングレンズの駆動量を受信すると、撮影レンズ内の不図示の駆動機構によってフォーカシングレンズを光軸Ｌ１（図２）方向に移動させるなどの動作を行い、物体にピントを合わせる。ＡＦ制御回路１４０によって、物体にピントが合ったことが検出されると、この情報はカメラシステム制御回路１３５に伝えられる。このとき、レリーズボタン１２０が押下されれば、前述のごとく撮像系、画像処理系、記録再生系による撮像制御が成される。
【００３６】
このように構成されたカメラのＬＰＦ１５６の表面に付着した塵埃を、本参考例に係るアクセサリ装置１０を用いて除去する動作について図４から図６を参照して説明する。
【００３７】
図４は、前述のモード切り換えスイッチ１２３が操作されて、カメラ１００がクリーニングモードになっている状態で、アクセサリ装置１０を使用してＬＰＦ１５６の表面に付着した塵埃を除去する場合を説明する概略斜視図である。
【００３８】
図４に示すように、ユーザはカメラ１００のマウント機構１０１の開口から、フォーカルプレンシャッタが開放状態になることにより形成される開口１１３ａを通してアクセサリ装置１０を挿入して塵埃の除去作業を行う。
【００３９】
図５（Ａ）は、本参考例に係るアクセサリ装置１０の粘着部１４の中央がＬＰＦ１５６に当接した時の要部上面図、図５（Ｂ）は、図５（Ａ）の状態における要部斜視図である。
【００４０】
図５（Ａ）に示すように、アクセサリ装置１０の粘着部１４の略中央部がＬＰＦ１５６の表面に当接した状態における、アクセサリ装置１０の弾性部１３の紙面横方向（カメラ１０の撮像画面の横方向と同じ）の寸法をＡとする。ここで図５（Ａ）の状態からユーザがアクセサリ装置１０を更にＬＰＦ１５６方向に押し込むと、その動作に応じて円弧状態の弾性部１３の曲率半径が徐々に大きくなる。それに伴って粘着部１４とＬＰＦ１５６とが当接する面積が拡大される。これにより、図６（Ａ）に示すように、粘着部１４の表面が平坦になって寸法Ｂ（Ｂ＞Ａ）まで拡大され、その粘着部１４の略全域がＬＰＦ１５６と当接される。
【００４１】
図６（Ａ）は、図５（Ａ）の状態からアクセサリ装置１０を更にＬＰＦ１５６方向に押し込んで粘着部１４の略全域がＬＰＦ１５６の表面に当接した状態を示す要部上面図で、この状態では、粘着部１４がＬＰＦ１５６の表面形状にならってほぼ平坦になっている。図６（Ｂ）はその時の要部斜視図である。
【００４２】
図５（Ｂ）及び図６（Ｂ）に示すように、アクセサリ装置１０はフォーカルプレンシャッタ１１３が開放状態になることにより形成される開口１１３ａを介して粘着部１４がＬＰＦ１５６と当接可能になっている。
【００４３】
尚、図６（Ａ）における紙面横方向におけるＡからＢへの寸法拡大は、図５（Ａ）の状態から、ユーザがアクセサリ装置１０を更に押し込む動作に応じて、アクセサリ装置１０の可撓部１２が図６（Ａ）に示した矢印Ｃ方向に撓んで広がることにより吸収される。上述の一連の動作により、アクセサリ装置１０の粘着部１４は、最初にその略中央部からＬＰＦ１５６に当接して、その押し込み動作に応じて、その当接する範囲が徐々にＬＰＦ１５６の周辺部へと広がるので、最終的にＬＰＦ１５６の表面に略均一に付着することになる。
【００４４】
これとは逆に、図６（Ａ）の状態からユーザが、アクセサリ装置１０を引き離していくと、アクセサリ装置１０の可撓部１４の撓んだ状態から、徐々にその撓み量が減少する。それに伴い、弾性部１３も図６（Ａ）のほぼ平坦の形状から図５（Ａ）に示す円弧状へと戻っていく。これにより粘着部１４は、ＬＰＦ１５６表面の周辺部から離れていき、最後に、粘着部１４の略中央部がＬＰＦ１５６の中央部から離れてＬＰＦ１５６との当接状態が解除される。これにより、ＬＰＦ１５６の表面に付着した塵埃は粘着部１４に吸着されてＬＰＦ１５６の表面から除去される。そしてアクセサリ装置１０がカメラ１０のマウント機構１０１の開口を介してカメラ１０の内部から外部に取り出されることにより、内部に付着していた塵埃はカメラ１０の外部に完全に排出されることとなる。
【００４５】
図７は、上述のようにしてアクセサリ装置１０の粘着部１４に付着させてカメラ１０の外部に排出した塵埃を、粘着部１４から剥離する方法の一例を説明する概略図である。
【００４６】
図において、２０は粘着部１４よりも高い粘着力を有するシート状の転写材（例えば、尾高ゴム工業製「タッキー」）である。尚、この転写材２０の形状及び構成はこれに限らず、例えばローラ形状をしたものでも同様の効果が得られる。また図７において、３０はＬＰＦ１５６の表面に付着した塵埃（ゴミ）を示している。
【００４７】
図７に示した状態から、アクセサリ装置１０の粘着部１４を転写材２０に押し付けると、その転写材２０は、粘着部１４よりも高い粘着力を有しているため、その粘着部１４に付着していた塵埃３０は転写材２０の表面に付着される。これにより、粘着部１４の表面に付着していた塵埃が除去され粘着部１４が清掃されて、ゴミなどが付着していない元の状態に戻される。
【００４８】
尚、更に、転写材２０の表面に付着した塵埃３０を除去するには、その表面をアルコール系の溶剤や水で洗浄することにより行う。
【００４９】
図８は、粘着部１４を粘着ゴム２４（例えば、角田ブラシ製「カーボレスMIMOZA-ST」）で構成した、本発明の参考例の変形例に係るアクセサリ装置２０の外観斜視図である。尚、このアクセサリ装置２０の他の構成（支持部１１、可撓部１２、弾性部１３）は、前述の参考例のアクセサリ装置１０と同じであるため同じ番号を符し、その説明を省略する。
【００５０】
図９及び図１０は、本発明の参考例の変形例に係るアクセサリ装置２０がカメラ１０のマウント機構１０１の開口からフォーカルプレンシャッタ１１３の開口１１３ａを介してカメラ内部に侵入して、ＬＰＦ１５６の表面に付着した塵埃を除去する時の要部上面図である。
【００５１】
前述の図５及び図６を用いて説明したのと同様に、図９はアクセサリ装置２０の粘着ゴム２４の略中央がＬＰＦ１５６に当接した時の要部上面図を示している。また図１０は、図９の状態から、アクセサリ装置２０を更にＬＰＦ１５６方向に押し込んで粘着部１４の略全域がＬＰＦ１５６の表面に当接し、粘着ゴム２４がＬＰＦ１５６の表面形状にならってほぼ平坦になった状態を示す要部上面図である。
【００５２】
図９に示したように、アクセサリ装置２０の粘着ゴム２４の中央部が当接した状態で、アクセサリ装置２０の弾性部１３の紙面横方向（カメラ１０の撮像画面の横方向と同じ）の寸法をＡ´とする。ここで図９の状態から、ユーザが更にアクセサリ装置２０をＬＰＦ１５６方向に押し込むと、その動作に応じて円弧状態の弾性部１３の曲率半径が徐々に大きくなる。これに伴って粘着ゴム２４とＬＰＦ１５６とが当接する面積が広がっていく。これにより図９で示した寸法Ａ'が徐々に長くなり、最後には図１０で示したように、粘着ゴム２４の略全域がＬＰＦ１５６と当接し、粘着ゴム２４がほぼ平坦になった時には寸法Ｂ'（Ｂ'＞Ａ'）まで長くなっている。
【００５３】
この紙面横方向の寸法拡大は、図９からユーザがアクセサリ装置２０を押し込む動作に応じて、可撓部１２が図１０に示した矢印Ｃ'方向に撓んで広がることにより吸収される。上述の一連の動作により、アクセサリ装置２０の粘着ゴム２４は、最初にその略中央部がＬＰＦ１５６と当接し、押し込まれるのにつれて徐々にＬＰＦ１５６の周辺部へと当接していく。そして最後にはＬＰＦ１５６の表面に略均一に付着することになる。
【００５４】
これとは逆に、ユーザが図１０の状態からアクセサリ装置２０を引き離していくと、アクセサリ装置２０の可撓部１２の撓んだ状態から、徐々にその撓み量が減少する。それに伴い、弾性部１３も、図１０のほほ平坦の形状から図９の円弧状へと戻っていく。こうして粘着ゴム２４は、ＬＰＦ１５６表面の周辺部から離れていき、最後にはＬＰＦ１５６の略中央部から離れてＬＰＦ１５６との当接状態が解除される。
【００５５】
これにより、ＬＰＦ１５６の表面に付着した塵埃は粘着ゴム２４に吸着されて、ＬＰＦ１５６の表面から除去される。そしてアクセサリ装置２０がカメラ１０の内部から取り出されることにより、ＬＰＦ１５６やその近傍に付着していた塵埃は、カメラ１０の外部に完全に排出されることとなる。
【００５６】
尚、粘着ゴム２４に付着した塵埃を除去する方法は、図７を参照して説明した方法と同でじでもよく、或はアルコール系の溶剤で洗浄しても構わない。
【００５７】
なお、上述の実施例においては、図２を用いて、フォーカルプレーンシャッタ１１３より固体撮像素子１０６へ至る撮像光軸に沿ってＬＰＦ１５６、カバーガラス１２５が順に並んでおり、ＬＰＦ１５６上にに付着した塵埃を除去することについて説明したが、光学部材の配置によっては必ずしもＬＰＦ１５６上の塵埃を除去することに限るものではなく、本質的には撮像に影響を与える塵埃を除去すべく、このような塵埃が付着する撮像光軸上の光学部材に対して粘着部を接触させるものである。
【００５８】
以上説明したように本参考例によれば、カメラの撮像部を構成する光学フィルタや保護レンズなどの表面に付着した単数もしくは複数の塵埃を、一度の作業で確実に除去できるアクセサリ装置を提供できる。
【００５９】
また本参考例に係るアクセサリ装置に付着した塵埃を簡単かつ確実に除去できるため、そのアクセサリ装置を繰り返し使用できるという効果がある。
【００６０】
前述の参考例では、ユーザがカメラ内を目視しながらアクセサリ装置１０を使用してＬＰＦ１５６に付着した塵埃を除去する方法について説明したが、本実施の形態では、カメラのマウント機構１０１に取り付けられた状態で、ＬＰＦ１５６に付着した塵埃を除去するアクセサリ装置の場合で説明する。
【００６１】
図１１は、本発明の実施の形態に係るアクセサリ装置５０の構成を示す斜視図で、クリーニングモードになっているカメラ１００に取り付けられる状態を示している。
【００６２】
図１２は、ＬＰＦ１５６に付着した塵埃を除去するために、アクセサリ装置５０の支持部５５をユーザが押して粘着部５４がカメラの内部方向に突出した状態を示した斜視図である。後述するが、図１２の状態は、粘着部５４の略全域がＬＰＦ１５６に当接して、その粘着部５４の前面がほぼ平坦になった時（図６（Ａ）で前述した状態に相当）のものである。
【００６３】
図１１及び図１２において、軸部５１は、粘着部５４をカメラ１００内のＬＰＦ１５６に密着させるために前方に移動させ、またＬＰＦ１５６から粘着部５４を剥離するために退却させるための軸で、その外周には粘着部５４が進退時に、マウント機構１０１に対して回転しないように複数の回転止め部５１ａを備えている。尚、この回転止め部５１ａは、回転を防止できれば少なくとも一つあれば良い。可撓部５２、弾性部５３、粘着部５４はいずれも、前述の実施の形態に係る可撓部１２、弾性部１３、粘着部１４のそれぞれと同じ動作及び機能を有しているので、その説明を省略する。
【００６４】
支持部５５は、ユーザが、このアクセサリ装置５０を操作させる際にユーザが操作するために使用される。取り付け部５６は、このアクセサリ装置５０をカメラ１００のマウント機構１０１に取り付けるための機構部である。この取り付け部５６には、マウント機構１０１に位置決めされて係止する複数の係止部５６ａと、後述するように、軸部５１に設けられた回転止め部５１ａと摺動可能な嵌合部５６ｃ（図１７、図１８）が設けられている。
【００６５】
また、取り付け部５６は、アクセサリ装置５０がカメラ１００のマウント機構１０１に取り付けた状態で操作する前に、カメラ１００がクリーニングモードであるかどうかを確認できるように、その全てが透明か、もしくは図１３に示すように、その一部に外部からカメラ１００内部が観察可能な窓５６ｄが設けられている方が望ましい。これにより、ユーザは、アクセサリ装置５０を操作する前に、カメラ１００のハーフミラー１１１が図２の破線で示した第２の光路分割状態の位置１１１ａに配設されているか否かが確認できるので、故障等の不具合でカメラ１００をクリーニングモードにしたにも係らず、ハーフミラー１１１が第２の光路分割状態の位置１１１ａに配設されていない状態になってしまっても、アクセサリ装置５０の操作を中止する事が容易に出来るから、アクセサリ装置５０を用いたＬＰＦ１５６に付着した塵埃の除去作業を安全に行う事が出来る。
【００６６】
図１４は、図１１のＸで示すように、軸部５１の長さ方向に平行な面で切断した断面図であり、図１５は図１２のＹで示すように、軸部５１の長さ方向に平行な面で切断した断面図である。
【００６７】
図１４において、略Ｖ字形状の可撓部５２に設けられた平坦部５２ａは、取り付け部５６に設けられた弾性変形可能な係止部５６ｂにより係止される。これにより、アクセサリ装置５０がカメラ１００に取り付けられた直後には、アクセサリ装置５０がカメラの内部方向に移動しないようにロックしている。尚、アクセサリ装置５０がカメラ１００に取り付けられた後、ユーザが支持部５５を押して軸部５１を図１１の状態から図１２に示すように、カメラ内に押し込んだ時には、平坦部５２ａが係止部５６ｂを乗り越えることができる。その際、係止部５６ｂは図１５に示すように、上方向に弾性変形している。
【００６８】
図１５において、段ビス５７は、ネジ部５７ａと軸部５７ｂとを具備している。ネジ部５７ａは、軸部５１に設けられたメネジ部５１ｂとネジ締結されており、これにより軸部５１と支持部５５とが一体化されている。また軸部５７ｂは支持部５５に設けられた嵌合穴５５ａと摺動可能に嵌合している。弾性部材５８は、支持部５５と軸部５１との間に設けられているゴムなどの弾性体である。その作用については後述する。キャップ５９は、段ビス５７が外部から見えないように支持部５５に設けられている。
【００６９】
図１５に示したように、粘着部５４の略全域がＬＰＦ１５６に当接した状態（図６（Ａ））であっても、支持部５５と取り付け部５６との間には一定量のギャップＬが形成されている。
【００７０】
ここで図１５に示した状態からユーザがなおも支持部５５を同図の矢印Ｚ方向に押し込み続けた場合について説明する。このとき、単に支持部５５と軸部５１とが一体で形成されていると、ユーザがＺ方向に押し込む力がそのまま粘着部５４を介してＬＰＦ１５６に加わってしまう。これによりＬＰＦ１５６の位置が動いてピントずれの不具合を生じる可能性がある。
【００７１】
しかしながら本実施の形態に係る構成の場合、図１５の状態から、ユーザが更に支持部５５をＺ方向に押し込むと、支持部５５の嵌合穴５５ａと段ビス５７の軸部５７ｂとが摺動して支持部５５のみが図１６に示すように矢印Ｚ方向に移動する。これにより、弾性部材５８が圧縮されて、図１５に示す支持部５５と取り付け部５６との間のギャップＬが無くなって吸収される。このギャップＬは、図６（Ａ）の状態から更に軸部５１が押し込まれても、可撓部材５２（１２）や弾性体５３（１３）の撓みで吸収できる程度の長さに設定されている。この状態での弾性部材５８の反発力は、ユーザが押し込むＺ方向の力と逆方向に作用するので、この反発力によりユーザが押し込む力が打ち消される。また図１６に示したようにギャップＬが無くなった状態では、支持部５５のＺ方向への移動は、取り付け部５６との係合面１５００により規定されるため、ユーザが無理にこれ以上押し込もうとしても軸部５１がこれ以上カメラ内に進入することはない。こうして、ＬＰＦ１５６に加わる力が減少されてＬＰＦ１５６が保護される。従って、粘着部５４の略全域がＬＰＦ１５６に当接している状態（図１５）から、更にユーザが支持部５５を押し込もうとしても図１６の状態で示す以上に押し込まれることがないため、粘着部５４がＬＰＦ１５６を押してＬＰＦ１５６の位置が動いてピントずれになる恐れがない。
【００７２】
図１７〜図１９は、本実施の形態に係るアクセサリ装置５０をクリーニングモードになっているカメラ１００に取り付けて動作させる際の状態を説明する斜視図である。
【００７３】
図１７は、このアクセサリ装置５０をカメラ１００に取り付ける直前の状態を示す概観斜視図であり、この時、粘着部５４や支持部５０は図１１に示した状態である。
【００７４】
図１８は、図１７の状態からアクセサリ装置５０をカメラ１００のマウント機構１０１に装着して、同図中矢印Ｔ方向に回転させて取り付けた状態を示す。これによりアクセサリ装置５０の係止部５６ａがカメラ１００のマウント機構１０１に対して位置決めされて完全に固定される。この状態でも、アクセサリ装置５０は図１１に示した状態となっている。
【００７５】
ここで上述したように、軸部５１は嵌合部５６ｃと嵌合して取り付け部５６に対して回動しないように構成されている。これにより粘着部５４は、このアクセサリ装置５０がカメラ本体に取り付けられる際、そのアクセサリ装置５０と同じ回転角で保持される。従って、上述の図１８に示すように、アクセサリ装置５０が矢印Ｔ方向に回転させて取り付けられた状態で、粘着部５４がフォーカルプレンシャッタ１１３の開口１１３ａにちょうど位置付けられるように、アクセサリ装置５０に対する粘着部５４の取り付け方向が規定されている。
【００７６】
この状態からユーザがＬＰＦ１５６に付着した塵埃を除去するために支持部５５をカメラ１００の内部に向けて押し込むと、軸部５１に設けられた回転止め部５１ａと取り付け部５６に設けられた嵌合部５６ｃとが嵌合状態を保持したまま軸部５１の軸方向に摺動して、カメラ１００内に粘着部５４が侵入する。これにより、この押し込む際に、粘着部５４がカメラ１００内で回動したり、その内部の構造に触れる虞はない。よって、図６（Ｂ）で示したように、粘着部５４は正確にフォーカルプレンシャッタ１１３の開口１１３ａを通ってＬＰＦ１５６と当接する。
【００７７】
図１９は、図１８の状態から更にユーザが支持部５５を矢印１８００の方向に押し込んで、粘着部５４の略全域がＬＰＦ１５６と当接した状態を示す概観斜視図である。
【００７８】
図１５を参照して説明したように、図１９の状態では、弾性部材５８の反作用により支持部５５と取り付け部５６との間にはギャップＬが形成されているので、図１９の状態からユーザが支持部５５を矢印１８００の方向に更に押し込んでも、弾性部材５８がその力を吸収してＬＰＦ１５６が保護される。更に、図１６のような状態になっても、支持部５５の進入が取り付け部５６との係合面１５００により規定されるので、その押し込む力がＬＰＦ１５６に作用してＬＰＦ１５６の位置がずれることはない。
【００７９】
以上説明したように本実施の形態によれば、撮像素子近傍の光学フィルタ表面に付着した単数もしくは複数の塵埃が一度のクリーニング作業で除去できるアクセサリ装置を提供できる。
【００８０】
また、アクセサリ装置の粘着部に付着した塵埃を、簡単かつ確実に除去できる清掃手段を提供できる。
【００８１】
更に、アクセサリ装置の粘着部が、カメラに対して位置決めされた状態で、カメラ内部の構造に触れること無く侵入させることができるので、光学フィルタ表面に付着した塵埃を除去する際に光学機器内部を汚染したリ、損傷を与える虞がない。
【００８２】
ところで、上述の実施の形態，２では、このような清掃に使用する装置をアクセサリ装置として説明してきたが、例えば図２０に示すように、アクセサリ装置５０がカメラ１００のボディキャップ７０として機能するものでも良い。
【００８３】
このボディキャップ７０は、カメラ１００のマウント機構１０１との公知の通信手段（不図示）と、その通信手段によりカメラ１００をクリーニングモードに設定できるスイッチ７１を備える。そのスイッチ７１がオフの時には通常のボディキャップとして使用し、スイッチ７１がオンされた時には、公知の通信手段を介してカメラ１００をクリーニングモードにする。その後、ユーザが手動にて支持部５５を操作して、前述の実施の形態で説明したようにＬＰＦ１５６に付着した塵埃を除去する。このような構成においても、前述の実施の形態と同様の効果が得られる。
【００８４】
更に、このボディキャップ７０に、前述の軸部５１や粘着部５４をカメラ１００に対して進退させるモータ等の駆動手段を備えることによって、スイッチ７１をオンすることにより、カメラ１００をクリーニングモードにして自動的に粘着部５４をカメラ１００内に移動させて、ＬＰＦ１５６の表面に付着した塵埃を除去するように構成しても良い。
【００８５】
また前述の実施の形態では、実施の形態の支持部１１に相当する部分が、操作部５５５と軸部５１で構成されているが、図１の構成に図１１に示す取り付け部５６が付加された構成でも良い。但し、この場合には、実施の形態における操作部５５と取り付け部５６との間のギャップＬ、弾性部材５８に代わる、アクセサリ装置の所定量以上の進入を防ぐための機構が必要になる。これには例えば、図６（Ａ）に示すような状態で粘着部５４とフィルタ面とが当接した状態で、略Ｖ字形状の可撓部５２に設けられた平坦部５２ａ（図１２）と係合する取り付け部５６の突起（不図示）を設け、それ以上奥に粘着部５４が侵入するのを防止するようにしても良い。
【００８６】
尚、上述の実施の形態では、光学フィルタ面に付着した塵埃の除去方法について説明してきたが本発明はこれに限定されるものではなく、例えばフォーカルプレンシャッタの開口を介して固体撮像素子のカバーガラス表面が目視できるようなデジタルカラーカメラの場合は、その固体撮像素子のカバーガラスに付着した塵埃を本実施の形態に係るアクセサリ装置やボディキャップで除去できることは言うまでもない。
【図面の簡単な説明】
【００８７】
【図１】本発明の参考例に係るアクセサリ装置の構成を示す概観斜視図である。
【図２】本実施の形態に係るアクセサリ装置を用いて塵埃を除去する対象機器である光学機器の一例であるデジタルカラーカメラの構成を説明するための側方視断面図である。
【図３】本参考例に係るカメラの電気的構成を示すブロック図である。
【図４】カメラがクリーニングモードになっている状態で、アクセサリ装置を使用してＬＰＦの表面に付着した塵埃を除去する場合を説明する概略斜視図である。
【図５】本参考例に係るアクセサリ装置の粘着部の中央がＬＰＦに当接した時の要部上面図（Ａ）と図５（Ａ）の状態における要部斜視図（Ｂ）である。
【図６】図５（Ａ）の状態からアクセサリ装置を更にＬＰＦ方向に押し込んで粘着部の略全域がＬＰＦの表面に当接した状態を示す要部上面図（Ａ）とその時の要部斜視図（Ｂ）である。
【図７】本発明の参考例におけるアクセサリ装置の粘着部に付着した塵埃を除去する方法の一例を示した概略図である。
【図８】本発明の参考例の変形例に係るアクセサリ装置の外観斜視図である。
【図９】本発明の参考例の変形例に係るアクセサリ装置がＬＰＦの表面に付着した塵埃を除去する時に、粘着部とＬＰＦとが当接した状態を示す要部上面図である。
【図１０】本発明の参考例の変形例に係るアクセサリ装置がＬＰＦの表面に付着した塵埃を除去する時に、粘着部がＬＰＦに押し付けられた状態を示す要部上面図である。
【図１１】本発明の実施の形態に係るアクセサリ装置の構成を示す斜視図である。
【図１２】本発明の実施の形態に係るアクセサリ装置の構成を示す図で、塵埃を除去するためにアクセサリ装置の支持部を押して粘着部がカメラの内部方向に突出した状態を示した斜視図である。
【図１３】本発明の実施の形態に係るアクセサリ装置の構成を示す図で、その取り付け部の一部に窓が設けられた場合の状態を示した斜視図である。
【図１４】図１１のＸで示す軸部の長さ方向に平行な面で切断した断面図である。
【図１５】図１２のＹで示す軸部の長さ方向に平行な面で切断した断面図である。
【図１６】図１４の状態から更に、アクセサリ装置を押し込んだ状態を示す断面図である。
【図１７】本発明の実施の形態に係るアクセサリ装置をカメラに取り付ける直前の状態を示す概観斜視図である。
【図１８】図１６の状態からアクセサリ装置をカメラのマウント機構に装着して、矢印Ｔ方向に回転させて取り付けた状態を示す斜視図である。
【図１９】図１７の状態から更にユーザが支持部を押し込んで、粘着部の略全域がＬＰＦと当接した状態を示す概観斜視図である。
【図２０】本発明の実施の形態の変形例に係るアクセサリ装置をカメラに取り付けた状態を示す斜視図である。
【図１】
2005292404.tif 000003
【図２】
2005292404.tif 000004
【図３】
2005292404.tif 000005
【図４】
2005292404.tif 000006
【図５】
2005292404.tif 000007
【図６】
2005292404.tif 000008
【図７】
2005292404.tif 000009
【図８】
2005292404.tif 000010
【図９】
2005292404.tif 000011
【図１０】
2005292404.tif 000012
【図１１】
2005292404.tif 000013
【図１２】
2005292404.tif 000014
【図１３】
2005292404.tif 000015
【図１４】
2005292404.tif 000016
【図１５】
2005292404.tif 000017
【図１６】
2005292404.tif 000018
【図１７】
2005292404.tif 000019
【図１８】
2005292404.tif 000020
【図１９】
2005292404.tif 000021
【図２０】
2005292404.tif 000022